(57)【要約】【課題】フェンス本体に胴縁を取り付けてなるフェンスの意匠性を向上すると共に、フェンス本体と胴縁との接合作業性を向上できるようにする。【解決手段】フェンス１０は、縦横の線材２２，２４により構成されたフェンス本体２０と、フェンス本体２０の上下に取り付けられた胴縁３０とを備える。胴縁３０は、縦向きの姿勢で横並びに配置された、フェンス本体２０を構成する線材２２，２４の径よりも大きな幅寸法を有する複数の帯状部材３２と、これら複数の帯状部材を接続する横材３４とを備える。帯状部材３２は、フェンス本体２０に取り付けられる側の端部に幅方向中央部が切り欠かれた切欠部３２２を有し、他端部に環状に湾曲されたリング部３２０を有する。フェンス本体２０の縦方向の線材２２の端部が切欠部３２２に嵌め込まれる。【選択図】  図４
2005256388.tif 000002
【特許請求の範囲】
【請求項１】
縦横の線材により構成されたフェンス本体と、このフェンス本体の上下に取り付けられた胴縁とを備えるフェンスであって、
前記胴縁は、縦向きの姿勢で横並びに配置された、前記フェンス本体を構成する線材の径よりも大きな幅寸法を有する複数の帯状部材と、これら複数の帯状部材を接続する横材とを備え、前記帯状部材は、前記フェンス本体に取り付けられる側の端部に幅方向中央部が切り欠かれた切欠部を有し、前記フェンス本体の縦方向の線材の端部が前記切欠部に嵌め込まれていることを特徴とするフェンス。
【請求項２】
前記帯状部材は環状に湾曲されてなるリング部を有し、前記横材は前記帯状部材の前記リング部を接続することを特徴とする請求項１記載のフェンス。
【請求項３】
前記帯状部材は、幅方向中央部が両側部よりも薄肉に形成されており、この薄肉部に前記切欠部が設けられていることを特徴とする請求項１又は２記載のフェンス。
【発明の詳細な説明】
【技術分野】
【０００１】
本発明は、上下に胴縁を備えたフェンスに関する。
【背景技術】
【０００２】
上下に胴縁を備えたフェンスにおいては、意匠上の自由度を高めるために、フェンス本体と胴縁とを別体に構成し、フェンス本体の上下端に胴縁を取り付ける構成を採ることが多い。例えば、特許文献１に開示されるフェンスでは、フェンス本体の上下部に、ワイヤ製の円筒部材からなる胴縁を溶接している。また、特許文献２に開示されるフェンスでは、胴縁を構成するリングに、フェンス本体の縦方向の線材を挿通させて胴縁をフェンス本体に取り付けている。
【特許文献１】特願昭６１−２７７７８１号公報
【特許文献２】意匠登録第８９６２５２号の類似１公報
【発明の開示】
【発明が解決しようとする課題】
【０００３】
しかしながら、特許文献１に開示されるフェンスでは、フェンス本体と胴縁とが何れも線材で構成され、フェンス全体がほぼ一様な太さの線材で構成された外観を呈することとなるため、意匠上の変化が乏しくなってしまう。また、フェンス本体と胴縁との取り付けは、夫々を構成する線材同士を溶接することにより行うため、取り付け作業の際にフェンス本体と胴縁とを正確に位置決めしなければならず、作業性が悪い。また、特許文献２に開示されるフェンスでも、胴縁のリングにフェンス本体の線材を一本一本挿通させねばならず、やはり、胴縁をフェンス本体に取り付ける際の作業性が悪い。
【０００４】
本発明は上記の点に鑑みてなされたものであり、フェンス本体に胴縁を取り付けてなるフェンスの意匠性を高めると共に、フェンス本体と胴縁との接合作業性を向上できるようにすることを目的とする。
【課題を解決するための手段】
【０００５】
上記の目的を達成するため、本発明は、縦横の線材により構成されたフェンス本体と、このフェンス本体の上下に取り付けられた胴縁とを備えるフェンスであって、
前記胴縁は、縦向きの姿勢で横並びに配置された、前記フェンス本体を構成する線材の径よりも大きな幅寸法を有する複数の帯状部材と、これら複数の帯状部材を接続する横材とを備え、前記帯状部材は、前記フェンス本体に取り付けられる側の端部に幅方向中央部が切り欠かれた切欠部を有し、前記フェンス本体の縦方向の線材の端部が前記切欠部に嵌め込まれていることを特徴とする。
【０００６】
本発明によれば、胴縁を帯状部材により構成したので、フェンス本体を構成する線材と、胴縁を構成する帯状部材とで、見た目の太さが異なることとなる。このため、胴縁とフェンス本体とが同じ太さの線材で構成される場合に比べて、意匠上の変化に富んだフェンスを実現することができる。また、胴縁の端部に設けた切欠部にフェンス本体の縦方向の線材を嵌入するので、フェンス本体と胴縁とを接合する際、両者の位置決めが容易となって、作業性が向上する。
【０００７】
また、本発明のフェンスにおいて、前記帯状部材は環状に湾曲されてなるリング部を有し、前記横材は前記帯状部材の前記リング部を接続することとしてもよい。
【０００８】
また、前記帯状部材は、幅方向中央部が両側部よりも薄肉に形成されており、この薄肉部に前記切欠部が設けられていることとしてもよい。このようにすれば、切欠部の形成を容易に行えると共に、帯状部材の両側が厚肉に構成されることで、帯状部材の強度を向上させることができる。
【発明の効果】
【０００９】
本発明によれば、胴縁とフェンス本体とを接合して構成されたフェンスの意匠性を高めることができると共に、胴縁をフェンス本体に取り付ける際の両者の位置決めを容易として、取り付け作業の作業性を向上させることができる。
【発明を実施するための最良の形態】
【００１０】
以下、添付図面を参照して、本発明の一実施形態について説明する。
【００１１】
図１は、本発明の一実施形態であるフェンス１０の正面図である。同図に示すように、フェンス１０は、フェンス本体２０と、フェンス本体２０の上下に取り付けられた胴縁３０とにより構成されている。これらフェンス本体２０及び胴縁３０が夫々取付部材４０及び４２で支柱５０に取り付けられることにより、フェンス１０が支柱５０の間に支持されている。フェンス本体２０は、縦方向の線材２２と横方向の線材２４とからなる金網状に構成されており、後述するように、縦方向の線材２２の上下端部に胴縁３０が嵌め込まれて横方向の線材２４に溶接されている。なお、本実施形態では、フェンス本体２０及び胴縁３０を例えばアルミニウム材により構成している。
【００１２】
図２は、胴縁３０の斜視図である。図２に示すように、胴縁３０は、線材２２，２４の径よりも大きな幅寸法を有する複数の帯状部材３２と、複数の横材３４とを備えている。帯状部材３２は縦向きの姿勢で横並びに配置され、横材３４はこれら帯状部材３２を横方向に接続している。帯状部材３２の一端部（フェンス本体２０に取り付けられる側とは反対側の部分）には、環状に湾曲されたリング部３２０が形成されており、各帯状部材３２の湾曲部３２０に横材３４が溶接されている。なお、図２では、帯状部材３２を５本の横材３４で接続した場合を示しているが、横材３４の本数はこれに限らず、適宜設計できる。また、帯状部材３２０の他端部には、切欠部３２２が設けられている。
【００１３】
図３は、帯状部材３２の断面図である。同図に示すように、帯状部材３２は、幅方向両側の円柱部３２４と、これら円柱部３２４の間の平板部３２６とにより構成されている。このような断面形状を有する帯状部材３２は、例えばアルミニウム押出型材により構成される。平板部３２６は円柱部３２４の直径よりも薄肉に形成されており、上記した切欠部３２２は、この平板部３２６を切り欠くことにより形成されている。切欠部３２２の幅（つまり、平板部３２６の幅）は、フェンス本体２０を構成する線材２２の直径よりも僅かに大きな寸法に設定されている。また、切欠部３２２の上下方向の長さは、切欠部３２２の端面にフェンス本体２０の縦方向の線材２２の端面が当接した状態で、フェンス本体２０と胴縁３０とが上下方向に正しく位置決めされるような寸法に設定されている。
【００１４】
胴縁３０を製造する場合には、先ず、図３に示す如き断面形状を有する帯状部材３２をアルミニウム押出により形成し、平板部３２６を切り欠いて切欠部３２２を形成する。そして、この帯状部材３２のリング部３２０に対応する部分に横材３４を格子状に重ね合わせて溶接してネット状とし、このネット状の部分をロール成型によって湾曲させることにより、リング部３２０を形成する。このように、リング部３２０をロール成型で形成することにより、別体のリング状部材を取り付ける場合に比べて、製造の手間を削減でき、また、リング部３２０の断面形状の自由度も高くなる。
【００１５】
図４は、フェンス本体２０に取り付けられた状態の胴縁３０を示す斜視図であり、図５は、図４のＡ部拡大図である。なお、図４、図５では、フェンス本体２０の上部に取り付けられた胴縁３０を示すが、下側の胴縁３０の取り付け部もこれと上下対称であって全く同様である。
【００１６】
図４及び図５に示すように、胴縁３０をフェンス本体２０に取り付ける際には、フェンス本体２０の縦方向の線材２２の端部を、その先端面が切欠部３２２の端面（すなわち平板部３２６の小口面）に当接するまで、切欠部３２２に嵌め込む。そして、この嵌め込んだ部分において線材２４と両側の円柱部３２４とを溶接部６０で溶接することにより、胴縁３０がフェンス本体２０に取り付けられる。
【００１７】
このように構成されたフェンス１０は、その胴縁３０が取付部材４０により、また、フェンス本体２０が取付部材４２により、夫々、支柱５０に取り付けられることで支柱５０の間に支持される。これら取付部材４０，４２としては、例えば、実公昭６０−６５２４号公報、実用新案登録第２５１４０２５号公報等に開示される周知の構成を用いることができる。すなわち、例えば、取付部材４０は、胴縁３０の内側へ嵌入されて係合保持される筒部と、支柱５０へボルト止めされる支柱添設片とにより構成され、また、フェンス本体２０を支柱へ取り付ける取付部材４２は、例えば、支柱５０を両側から挟むように配置された一対のバンド材により構成され、このバンド材の端部がフェンス本体２０を両面側から挟んでボルト止めされる。
【００１８】
以上説明した構成によれば、胴縁３０が、フェンス本体２０の線材２２，２４の径よりも幅の広い帯状部材３２で構成されるので、胴縁とフェンス本体とが似たような径の線材で構成される従来のフェンスに比べて、意匠上の変化に富んだフェンス１０を実現できる。特に、本実施形態では、帯状部材３２を、平板部３２６の両側に円柱部３２４を設けた構成とし、平板部３２６を切り欠いた切欠部３２２に線材２２を挿入しているので、胴縁３０とフェンス本体２０との接続部分では、３本の線材が並んだ外観となり、意匠性をより高めることができる。
【００１９】
また、フェンス本体２０の線材２２の先端を胴縁３０の切欠部３２２に嵌め込む構成であるため、フェンス本体２０に対する胴縁３０の上下左右方向の位置決めが容易となる。このため、フェンス本体２０と胴縁３０との溶接作業が行い易くなり、溶接部の品質向上にも資することとなる。また、線材２２の両側にある円柱部３２４で溶接を行うことができるので、溶接箇所を増やして溶接強度を向上させることができる。
【００２０】
さらに、帯状部材３２を、平板部３２６と円柱部３２４とで構成することにより、薄肉の平板部３２６を切り欠いて切欠部３２２を形成できるので、切欠部３２２を加工し易くなる。また、帯状部材３２の幅方向両側の円柱部３２４により、胴縁３０の強度も向上する。
【００２１】
なお、胴縁３０を構成する帯状部材の断面形状は上記実施形態の構成に限られるものではなく、例えば、帯状部材をＨ型の断面として厚さの小さくなった中央部を切り欠くこととしてもよいし、一定の厚さを有する帯状板材の中央部を切り欠いた構成とするなど、他の構成を採用することもできる。要するに、帯状部材の端部の幅方向中央部に切欠部を設けて、この切欠部に、フェンス本体を構成する縦方向の線材の端部が嵌入されて固定される構成であればよい。
【００２２】
また、上記実施形態では、胴縁３０の帯状部材３２を、フェンス本体２０の縦方向の全ての線材２２に嵌め込ませる構成としたが、本発明はこれに限らず、例えば、１本おき、あるいは、２本おき、３本おきの線材２２に嵌め込ませるなど、帯状部材３２の本数密度を自由に設定することができる。このように、帯状部材３２の本数密度を自由に設定できることにより、上述のように、リング部３２の断面形状の自由度が高いことと相俟って、胴縁３０の意匠上の自由度は大幅に高まることになる。
【００２３】
また、上記実施形態では、帯状部材３２を環状に屈曲させてリング部３２０を構成したが、帯状部材３２の屈曲のさせ方を変えることで、様々な意匠の胴縁を実現することができる。
【００２４】
さらに、上記実施形態では、フェンス１０の各構成部材をアルミニウム製とすることで、軽量化により施工性を向上できると共に、アルマイト処理により耐食性の向上を図ることもできる。
【図面の簡単な説明】
【００２５】
【図１】本発明の一実施形態であるフェンスの正面図である。
【図２】本実施形態のフェンスを構成する胴縁の斜視図である。
【図３】図２の胴縁を構成する帯状部材の断面図である。
【図４】胴縁がフェンス本体に取り付けられた状態を示す斜視図である。
【図５】図４のＡ部拡大図である。
【符号の説明】
【００２６】
１０  フェンス
２０  フェンス本体
２２  縦方向の線材
２４  横方向の線材
３０  胴縁
３２  帯状部材
３２０  リング部
３２２  切欠部
３２４  円柱部
３２６  平板部
３４  横材
４０，４２  取付部材
５０  支柱
【図１】
2005256388.tif 000003
【図２】
2005256388.tif 000004
【図３】
2005256388.tif 000005
【図４】
2005256388.tif 000006
【図５】
2005256388.tif 000007